(57)【要約】【課題】  ＲＦＩＤデータキャリアを自動車の窓ガラス等の透明板に貼付して自動車の個体管理に使用する場合において、窓ガラス等の透明板の透視性をできる限り阻害しないＲＦＩＤデータキャリアを提供する。【解決手段】  板状に形成された電気絶縁性の透明基材と、外部の読み取り書き込み装置からの電波によりデータの通信を行う通信回路およびデータを読み書き可能に記憶する記憶素子を有して前記基材に取り付けられたＩＣチップと、このＩＣチップに接続され前記基材に設けられた導電性のアンテナ部から成るＲＦＩＤデータキャリアにおいて、前記基材に透明素材を用いること及び前記アンテナ部を導電性の細いリボン状の線材で構成することで解決する。【選択図】図１
2014176077.tif 000002
【特許請求の範囲】
【請求項１】
可視光透過率が７０％以上の板状に形成された電気絶縁性の透明基材と、外部の読み取り書き込み装置からの電波によりデータの通信を行う通信回路およびデータを読み書き可能に記憶する記憶素子を有して前記基材に取り付けられたＩＣチップと、このＩＣチップに接続され前記基材に設けられた、線幅０．５ｍｍ以下で厚さ０．０５ｍｍ以下の導電性のリボン状線材で形成したアンテナ部から成る、自動車個体管理に適したＲＦＩＤデータキャリア。
【請求項２】
可視光透過率が７０％以上の板状に形成された電気絶縁性の透明基材と、外部の読み取り書き込み装置からの電波によりデータの通信を行う通信回路およびデータを読み書き可能に記憶する記憶素子を有して前記基材に取り付けられたＩＣチップと、このＩＣチップに接続され前記基材に設けられた、線幅及び厚さが０．０２ｍｍ以下の導電性のリボン状線材を０．２ｍｍ〜０．５ｍｍの間隔でメッシュ状に配置した導電網で形成したアンテナ部から成る、自動車個体管理に適したＲＦＩＤデータキャリア。
【発明の詳細な説明】
【技術分野】
【０００１】  本発明はＲＦＩＤデータキャリアに関し、特に自動車個体管理に適したＲＦＩＤデータキャリアの構成及び構造に関する。
【背景技術】
【０００２】  従来、荷物等の物品に関する各種データを管理する方法として、物品に貼付又は取り付けられたタグとしてＲＦＩＤデータキャリアと呼ばれる送受信機を設けたシステムがある。このＲＦＩＤデータキャリアを用いたシステムでは、ＲＦＩＤデータキャリアの情報の読み取り及び書き込みを行う読み取り書き込み装置を備えコントローラで制御された電波を読み取り書き込み装置のアンテナから送信し、ＲＦＩＤデータキャリアに対し非接触で、各種データの読み書きを行う。またこのシステムの他の利用例として、駐車場や建物の入り口のゲート側近に取り付けた読み取り書き込み装置のアンテナにＲＦＩＤデータキャリアにかざして、ゲートの施解錠を行う入退出管理にも用いられている。【０００３】  ＲＦＩＤデータキャリアの構造は、データが記録され送受信回路等を備えたＩＣ部とアンテナ部を、合成樹脂などからなる基材に実装したものである。また、そのアンテナ部の形状は、認識距離の延長や小型化及び動作安定化のため、各種のパターン形状が知られている。【０００４】  従来の一般的なＲＦＩＤデータキャリアを自動車の窓ガラスに貼付すると、窓ガラスの透視性が阻害されて使いづらい問題があった。
【先行技術文献】
【特許文献】
【０００５】
【特許文献１】特開２００６−１８６７４２
【特許文献２】特開２００３−２０９４２１
【発明の概要】
【発明が解決しようとする課題】
【０００６】  この発明は、上記従来技術に鑑みて成されたもので、ＲＦＩＤデータキャリアをガラス板等の透明板に貼付して使用する場合に、透明板の前方の透視性をできる限り阻害しないＲＦＩＤデータキャリアを提供することが課題である。
【課題を解決するための手段】
【０００７】  この課題は電気絶縁性基材と、外部の読み取り書き込み装置からの電波によりデータの通信を行う通信回路及びデータを読み書き可能に記憶する記憶素子を有して前記基材に取り付けられたＩＣ部と、このＩＣ部に接続され前記基材に設けられた導電性のアンテナ部から成るＲＦＩＤデータキャリアであって、前記アンテナ部は導電性のリボン状線材で形成し、前記基材は可視光透過率が７０％以上の透明な電気絶縁性基材を使用することで解決する。【０００８】  アンテナ部を形成する導電性の部材は幅が幅０．５ｍｍ以下で厚さ０．０５ｍｍ以下であるので、自動車運転者の視野が低下することはない。【０００９】  アンテナ部を形成するメッシュ状の導電膜は、線幅及び厚さが０．０２ｍｍ以下のリボン状の線材を０．２ｍｍ〜０．５ｍｍの間隔で配置したメッシュであるので、自動車運転者の視野が低下することはない。【００１０】  電気絶縁性基材は、波長が０．３６〜０．７６μｍの可視光の透過率が７０％以上であればよい。
【発明の効果】
【００１１】  この発明のＲＦＩＤデータキャリアをガラス等の透明板に貼付して使用する場合に、透明板の前方の透視性が著しく改善される。【００１２】  また、この発明のＲＦＩＤデータキャリアを自動車の窓ガラスに貼付して自動車の個体管理を行うシステムなどに適用した場合は、自動車の窓ガラスの透視性が阻害されにくく、自動車の安全運転に寄与できる。
【図面の簡単な説明】
【００１３】
【図１】この発明の第一実施形態である、導電性のリボン状線材で形成したアンテナ部を用いた自動車個体管理に適したＲＦＩＤデータキャリアの概略図。
【図２】この発明の第二実施形態である、導電性のリボン状線材で形成したアンテナ部を用いた自動車個体管理に適したＲＦＩＤデータキャリアの概略図。
【図３】この発明の第三実施形態である、メッシュ状の導電網で形成したアンテナ部を用いた自動車個体管理に適したＲＦＩＤデータキャリアの概略図。
【発明を実施するための形態】
【００１４】  この発明のＲＦＩＤデータキャリアの第一実施形態について図１を基にして説明する。この実施形態のＲＦＩＤデータキャリア１０は図１に示すように極く薄い矩形の透明基材１２の表面に形成され、透明基材１２の長辺のほぼ中央部にＩＣチップ１４と導電性材料により形成されたアンテナ部１６から成っている。アンテナ部１６は、線幅０．５ｍｍ以下で厚さ０．０５ｍｍ以下の導電性のリボン状線材で形成する。図１において、Ｗはリボン状線材の線幅、Ｌはアンテナ部の長さ、Ｄはアンテナ部の幅である。ＸとＤに囲まれた枠形部分は、ＩＣチップ１４とアンテナ部１６のインピーダンス整合回路として動作する。９００ＭＨｚ帯のガラス貼付用のＲＦＩＤデータキャリアでは、Ｌは概８０ｍｍ〜１５０ｍｍ、Ｄは概２ｍｍ〜８ｍｍ、Ｘは概１５ｍｍ〜４５ｍｍに設定する。
【００１５】  この発明のＲＦＩＤデータキャリアの第二実施形態について図２を基にして説明する。この実施形態のＲＦＩＤデータキャリア２０は図１に示すように極く薄い矩形の透明基材２２の表面に形成され、透明基材２２の長辺のほぼ中央部にＩＣチップ２４と導電性材料により形成されたアンテナ部２６から成っている。アンテナ部２６は、線幅０．５ｍｍ以下で厚さ０．０５ｍｍ以下の導電性のリボン状線材で形成する。図２において、Ｗはリボン状線材の線幅、Ｌはアンテナ部の長さ、Ｄはアンテナ部の幅である。ＸとＤに囲まれた枠形部分は、ＩＣチップ２４とアンテナ部２６のインピーダンス整合回路として動作する。９００ＭＨｚ帯のガラス貼付用のＲＦＩＤデータキャリアでは、Ｌは概８０ｍｍ〜１５０ｍｍ、Ｄは概２ｍｍ〜８ｍｍ、Ｘは概１５ｍｍ〜４５ｍｍに設定する。
【００１６】  この発明のＲＦＩＤデータキャリアの第三実施形態について図３を基にして説明する。この実施形態のＲＦＩＤデータキャリア３０は図３に示すように極く薄い矩形の透明基材３２の表面に形成され、透明基材３２の長辺のほぼ中央部にＩＣチップ３４と導電性材料により形成されたアンテナ部３６から成っている。アンテナ部３６を形成するメッシュ状の導電網は、線幅及び厚さが０．０２ｍｍ以下のリボン状の線材を０．２ｍｍ〜０．５ｍｍの間隔で配置したメッシュ構造の導電体である。図３において、Ｗはリボン状線材の線幅、Ｌはアンテナ部の長さ、Ｄはアンテナ部の幅である。ＸとＹに囲まれた枠形の部分は、ＩＣチップ３４とアンテナ部３６のインピーダンス整合回路として動作する。９００ＭＨｚ帯のガラス貼付用のＲＦＩＤデータキャリアでは、Ｌは概８０ｍｍ〜１５０ｍｍ、Ｄは概２ｍｍ〜８ｍｍ、Ｘは概１５ｍｍ〜４５ｍｍ、Ｙは概１ｍｍ〜６ｍｍに設定する。
【００１７】  図１、図２、及び図３において、透明基材のＩＣチップとアンテナ部が形成されてない側の面には、本発明のＲＦＩＤデータキャリアをガラス板等に貼り付けるための透明な接着剤を塗布する。さらに容易に剥がすことができる保護シールで接着面を保護する。
【００１８】  図１、図２、及び図３において、透明基材のＩＣチップとアンテナ部が形成されている側の面には、ＩＣチップとアンテナ部を保護するための極く薄い透明シールを貼り付ける。
【００１９】  本発明のＲＦＩＤデータキャリアは自動車のフロントガラス、リアガラス、運転席及び助手席の窓ガラス、後部座席左右の窓ガラスのほか、サイドバイザー等の自動車の電気絶縁体部分に貼付して使用する。駐車場管理システムについては、データの読み取り及び書き込み装置は入口及び出口に設置されれ、自動車が駐車場の入り口ゲート又は出口ゲートに近づくと、データの読み取り書き込み装置が作動して自動車に貼られたＲＦＩＤデータキャリア内のＩＣチップに記録されたデータを読み取る。
【００２０】  ＲＦＩＤデータキャリア内のＩＣチップに記録されたデータは日時、車種、登録番号等が含まれる。
【符号の説明】
【００２１】１０  ＲＦＩＤデータキャリア
１２  透明基材
１４  ＩＣチップ
１６  アンテナ部
２０  ＲＦＩＤデータキャリア
２２  透明基材
２４  ＩＣチップ
２６  アンテナ部
３０  ＲＦＩＤデータキャリア
３２  透明基材
３４  ＩＣチップ
３６  アンテナ部
【図１】
2014176077.tif 000003
【図２】
2014176077.tif 000004
【図３】
2014176077.tif 000005